(57)【特許請求の範囲】
【請求項１】
溝部を備えたグリルと、前記グリルを壁面に固定する固定部を覆い、かつドライバを前記溝部から差し込める端面に角孔を有するカバーと、前記カバーの前記角孔と嵌合して、前記カバーを前記固定部に着脱自在に保持する保持部とを有し、前記カバーの前記角孔および前記保持部は前記溝部近傍に設けることを特徴とする加熱機器用壁面埋め込み装置。
【請求項２】
前記保持部と、前記カバーとの少なくとも一方は、ステンレス鋼またはバネ鋼であることを特徴とする請求項１記載の加熱機器用壁面埋め込み装置。
【発明の詳細な説明】
【０００１】
【発明の属する技術分野】
本発明は加熱機器用壁面埋め込み装置、特に電子レンジ用のトリムキットに関するものである。
【０００２】
【従来の技術】
従来この種の加熱機器用壁面埋め込み装置は、図４に示すようにグリル１に加熱装置２の吸気、または排気に伴い空気が流入する開口部３を有する溝部４を有し、固定部５により壁にねじ固定し、この固定部を覆うためにカバー６を保持部７でつめ固定により着脱自在に保持するようになっていた。また、カバー６を取り外す場合は、加熱機器用壁面埋め込み装置の外側からドライバ８などをカバー６と壁面のすき間に差し込んでこじ開けることにより、保持部７のつめからカバー６を外すようになっていた。また、カバー６と保持部７は樹脂で成形されることが一般的であった。
【０００３】
【発明が解決しようとする課題】
しかしながら、従来の加熱機器用壁面埋め込み装置では、カバー６を取り外す際、加熱機器用壁面埋め込み装置に近接して、他の壁面や機器があるような設置条件では、ドライバ８を外側から差し込むことができず、また、加熱機器２が有るために、ドライバ８を内側からも差し込むことができないため取り外しできないという問題を有していた。また、樹脂成形品であるカバー６の弾性で保持部７のつめに着脱自在に取り付けられるようにするため、カバー６の厚さは、十分な弾性を有するに必要な寸法を取らねばならず、加熱機器用壁面埋め込み装置の厚みを薄くすることができないという問題を有していた。
【０００４】
【課題を解決するための手段】
本発明は上記課題を解決するためにグリルに設けた溝部近傍に、固定部を覆い、かつドライバを前記溝部から差し込める端面に角孔を有するカバーと、前記カバーの前記角孔と嵌合して、前記カバーを前記固定部に着脱自在に保持する保持部を設け、前記カバーの前記角孔および前記保持部は、前記溝部近傍に設けるものである。
【０００５】
上記発明によれば、カバーを取り外す際、加熱機器用壁面埋め込み装置に近接して他の壁面や機器があるような設置条件でも、ドライバを溝部からカバーの端面に差し込んで保持部から容易に外すことができる。
【０００６】
【発明の実施の形態】
本発明は空気が出入するグリルと、前記グリルに設けた溝部と、前記グリルを壁面に固定する固定部と、前記固定部を覆い、かつドライバを前記溝部から差し込める端面に角孔を有するカバーと、前記カバーの前記角孔と嵌合して、前記カバーを前記固定部に着脱自在に保持する保持部とを有し、前記カバーの前記角孔および前記保持部は、前記溝部近傍に設けるものである。
【０００７】
そしてカバーを取り外す際、加熱機器用壁面埋め込み装置に近接して、他の壁面や機器があるような設置条件でも、ドライバを溝部からカバーの端面に差し込んで保持部から容易に外すことができる。
【０００８】
また、保持部とカバーとを有し、前記保持部と前記カバーとの少なくとも一方は、ステンレス鋼またはバネ鋼からなる構成とした。
【０００９】
そして保持部またはカバーの弾性が一般の樹脂成形品より高いため、カバーの厚みが薄くても必要な弾性を有するで、加熱機器用壁面埋め込み装置の厚みを薄くすることができる。
【００１０】
また、固定部に設けた切り欠き部を有するものである。
【００１１】
そしてグリルを壁面に取り付ける際に、切り欠き部にカバーの一部をはめ込むことによって、固定部の位置決めをすることができ、設置性を良くすることができる。
【００１２】
【実施例】
以下、本発明の実施例について図面を用いて説明する。
【００１３】
（実施例１）
図１は本発明の一実施例の加熱機器用壁面埋め込み装置の外観斜視図である。また図２は加熱機器用壁面埋め込み装置の要部断面図、図３は加熱機器用壁面埋め込み装置の斜視図である。
【００１４】
図において、１は加熱装置２の冷却のための吸気、または調理により発生するガスの排気に伴い空気が出入する開口部３を有するグリルである。
【００１５】
４はグリル１に設けた溝部である。グリル１は固定部５により壁にねじ固定され、この固定部５を覆うためにカバー６を保持部７と板バネ９で着脱自在に保持している。保持部７は溝部４近傍に設けている。カバー６を固定部５に取り付けるには、先ず、カバー６を固定部５の外側の端面にひっかけ、次にこの端面を回転中心にして、グリル１側の保持部７と板バネ９の間にカバー６の他方の端面をはめ込む。１０はカバー６の端面に設けた角孔であり、カバー６の固定時には保持部７がひっかかり、カバー６を保持している。カバー６と板バネ９はステンレス鋼である。固定部５にはカバー６の端部をはめ込む切り欠き１１を有している。
【００１６】
次に動作、作用について説明すると、保持部７が溝部４の近傍にあるため、加熱機器用壁面埋め込み装置に近接して他の壁面や機器があるような設置条件でもドライバ８を溝部４からカバー６の端面に差し込むことによってカバー６の角穴１０を保持部７から容易に外すことができる。
【００１７】
なお、板バネ９とカバー６はステンレス鋼であるため、弾性が一般の樹脂成形品より高く、カバー６の厚みが薄くても、保持部７にひっかける際、および取り外す際に十分な弾性を有するで、加熱機器用壁面埋め込み装置の厚みを薄くすることができる。
【００１８】
さらに、切り欠き部１１にカバー６の一部をはめ込むことによって、固定部５の位置決めをすることができ、グリル１を壁面に取り付ける際の設置性を良くすることができる。
【００１９】
【発明の効果】
以上のように本発明によれば保持部が溝部の近傍にあるため、ドライバを溝部からカバーの端面に差し込むことによって保持部から容易に外すことができるので、加熱機器用壁面埋め込み装置に近接して、他の壁面や機器があるような設置条件でも、カバーを取り外すことができるという有利な効果を有する。
【００２０】
また保持部または、カバーの少なくとも一方はステンレス鋼またはバネ鋼であるため、弾性が一般の樹脂成形品より高く、カバーの厚みが薄くても、保持部にひっかける際、および取り外す際に必要な弾性を有するで、加熱機器用壁面埋め込み装置の厚みを薄くすることができる。
【００２１】
また、切り欠き部にカバーの一部をはめ込むことによって、固定部の位置決めをすることができ、グリルを壁面に取り付ける際の設置性を良くすることができる。
【図面の簡単な説明】
【図１】  本発明の一実施例の加熱機器用壁面埋め込み装置の要部外観斜視図
【図２】  同加熱機器用壁面埋め込み装置の要部一部断面斜視図
【図３】  同加熱機器用壁面埋め込み装置の要部拡大斜視図
【図４】  従来の加熱機器用壁面埋め込み装置の外観斜視図
【符号の説明】
１  グリル
４  溝部
５  固定部
６  カバー
７  保持部
１１  切り欠き部
【図１】
0003677950.tif 000002
【図２】
0003677950.tif 000003
【図３】
0003677950.tif 000004
【図４】
0003677950.tif 000005